(57)【要約】【課題】     本発明は、ひとり暮らしの高齢者であっても、肩、背中、腰等の手の届かない、    見えない患部にも簡単な操作で磁気治療器を正確に貼着することのできる磁気治療器    貼着用補助具を提供することを課題とする。【解決手段】      係る課題を解決する為本発明は、あらかじめ磁気治療器係止磁石上に磁気治療器の    粘着部側を上に向け係止し、湾曲したアームの一端に設けた操作部を片手で持ち、    アームのもう一端に設けたケース内に設置した可動部に備えた突起部を用いて患部を    探し、貼着位置が決まれば手元操作部の簡単な操作で可動部が作動し、これにより    突起部と入れ替わった磁気治療器係止磁石上の磁気治療器を、患部から補助具を一度    も離すことなく貼着できる、磁気治療器貼着用補助具を構成する。【選択図】  図１
2009207826.tif 000002
【特許請求の範囲】
【請求項１】
中空アームに、患部検索部材と磁気治療器係止部材を設けた可動部を備えた
機能部と、該機能部を操作する操作部を具備した磁気治療器貼着用補助具。
【請求項２】
前記中空アーム内に紐材を通し、機能部内の可動部と操作部を紐材で緊結した機構を有する請求項１に記載の磁気治療器貼着用補助具。
【請求項３】
前記操作部に、ハンドル支点によって軸着されたハンドルを設け、ハンドルを握るとハンドルに接して設けたハンドルバネが収縮し、同時に、操作部内に設けた紐支点材を支点として紐材が引かれることにより、紐材のもう片方に緊結された機能部が作動する機構を有する、前記請求項１ないし請求項２に記載の磁気治療器貼着用補助具。
【請求項４】
前記機能部内に、ある一面に痛みのある患部を検索するための突起部と、隣接する他一面に磁気治療器係止部材を備えた略六面体の可動部を収納し、ハンドル操作により可動部が作動することによって、可動部作動前の突起部があった同じ位置に、可動部作動後の磁気治療器係止部材が正確に駐止する機構を有する前記請求項１ないし請求項３に記載の磁気治療器貼着用補助具。
【請求項５】
前記可動部を、中空アーム端部に内設し、突起部を端部から突き出す形で引っ張りバネによって弾装し、これによって柔軟な患部検索操作が可能である機構を有する、 前記請求項１ないし請求項４に記載の磁気治療器貼着用補助具。
（１）
【発明の詳細な説明】
【技術分野】
【０００１】
本発明は、筋肉内の血行を良くし、筋肉のコリをほぐす効果のある磁気治療器を、
肩、背中等の貼着しにくい個所にも、ひとりで正確かつ容易に貼着することのできる
磁気治療器貼着用補助具に関する。
【背景技術】
【０００２】
従来、体のコリや痛みを改善する為、粘着性を有する種々の磁気治療器が一般に
広く利用されているが、肩、腰、背中等、コリや痛みのある患部は、自分で直接見る
ことができず、患部への正確な貼着にあたっては、ほとんどの場合、他人の介助が
必要とされていた。
【０００３】
介助人がそばにいない場合などには、やむを得ず自分ひとりで無理な姿勢で貼着
せざるをえず、患部に正確に貼着することは非常に困難であった。この問題を解決
する為、あるいは磁気治療器を簡便に貼着することができる補助具がこれまでに
提案されている。
【特許文献１】特開 2004-283535 号公報
【特許文献２】実開 平07-039849 号広報
【０００４】
特許文献１ で提案されている貼着補助具は、患部を探しながらそのまま患部に磁気治療器を貼着することは可能であるが、両手を使った窮屈な姿勢で貼着せざるを得ず、このため、貼着後、腕を降ろして自然な姿勢に戻ると、患部と皮膚上に貼着した磁気治療器の位置にずれが生じる恐れがあった。また、特許文献２ で提案されている貼着具は、患部を探しながら磁気治療器を貼着することは可能であるが、その先端部の面積が大きく、患部を正確に探すことができない恐れがあった。また、特許文献１、特許文献２の補助具は、貼着の準備や貼着時の操作が複雑で、例えばひとり暮らしの高齢者などは、そもそも使用できない恐れがあり、また、背中などの手の届かないところにはこれらの補助具を使って貼着できないという問題があった。
【発明の開示】
【発明が解決しようとする課題】
【０００５】
本発明は、ひとり暮らしの高齢者であっても、肩、背中、腰等の手の届かない、見えない患部にも、簡単な操作で磁気治療器を正確に貼着することのできる磁気治療器貼着用補助具を提供することを目的とする。
【課題を解決するための手段】
【０００６】
そして、本発明は上記目的を達成するために、湾曲した中空アーム内に紐材を通し、
機能部内の可動部と操作部を紐材で緊結した機構を具備し、その操作部には、ハンドル支点によって軸着されたハンドルを設け、ハンドルを握るとハンドルに接して設けたハンドルバネが収縮し、同時に、操作部内に設けた紐支点材を支点として紐材が引かれることにより、紐材のもう片方に緊結された機能部が作動する機構を設け、また、機能部内には、ある一面に痛みのある患部を検索するための突起部と、隣接する他一面に磁気治療器係止部材を備えた略六面体の可動部を収納し、ハンドル操作により可動部が作動することによって、可動部作動前の突起部があった同じ位置に、可動部作動後の磁気治療器係止部材が正確に駐止する機構を設け、該可動部を中空アーム端部に内設し、突起部を端部から突き出す形で引っ張りバネによって弾装し、これによって柔軟な患部検索操作が可能である機構を有するものである。
【発明の効果】
【０００７】
この発明を適用することにより、肩、背中、腰等の手の届かない、見えない患部にも、高齢者等であってもひとりで、なおかつ手元操作部の簡単な操作で磁気治療器を貼着することができる。
【発明を実施するための最良の形態】
【０００８】
以下、本発明の好適な実施形態のひとつを、図面を参照しながら詳細に説明する。
【実施例】
【０００９】
図１は、本発明の実施形態の外観側面図である。本発明は、中空アーム（１４a）と、機能部（２０）と、ハンドル部（２１）を主たる構成としている。
【００１０】
図２は、図１のＡ−Ａ断面図である。中空アーム（１４a）の中に紐材（１３）を  通し、その両端部をそれぞれハンドル（１５）と可動部本体（２）に備えた紐受材（１２）に緊結しており、ハンドル支点（１６）で片側を軸着されたハンドル（１５）を手で握るとハンドルバネ（１７）を押しつぶす形となり、同時に紐支点材b（１８）を支点として、紐材（１３）がハンドル部（２１）側に引き寄せられ、機能部（２０）に内設する可動部本体（２）が可動する形態を有する。
【００１１】
この発明の形態を、図を用いながら説明する。図３は、機能部（２０）の分解斜視図である。機能部は主に、内部ケース（８a）内に設置された可動部本体（２）によって構成され、中空アーム（１４a）端部に内設する。可動部本体（２）には、患部を検索する為の突起部（３）と磁気治療器（１c）を係止する為の磁気治療器係止磁石（４）を備え、磁気治療器（１c）を正確に貼着する好適な位置に心材（５）を軸通させる。さらに、この芯材（５）を、内部ケースに開けた横長穴（９）に挿通させることで、可動部（２）は、芯材（５）ごと内部ケースに開けた横長穴（９）の中を移動、あるいは回転することが可能である。また、芯材（５）は、内部ケース（８a）の外側で、引っ張りバネ（６）によって、引っ掛け部材（７）寄りに常に引き寄せられている。
【００１２】
また、可動部本体（２）は、その本体下部に備えた可動部係止磁石Ａ（１１a）と、内部ケース（８a）に備えた可動部係止磁石Ｂ（１１b）により互いに吸着し、これらと、前述の引っ張りバネ（６）により、可動部本体（２）及び内部ケース（８a）は、図７aのような状態を保持する。また、これらを中空アーム（１４a）内に内部ケース（８a）の前面部を、中空アームの先端前面（１４b）より４ミリメートル程度中に押し入れた状態で内設し、磁気治療器（１c）貼着時においては、中空アームの先端前面（１４b）の全周を皮膚に当てることによって、機能部が皮膚面に対して垂直になり、また、これによって患部位置を決定してから磁気治療器（１c）を貼り終えるまで、終始患部位置を捉えることとなり、結果、磁気治療器（１c）を患部に正確に貼着させることが可能になる。
【００１３】
この発明の使用方法と、より具体的な機能部の働きを併せて、図面を用いながら  説明する。最初に、図３中の磁気治療器係止磁石（４）に、磁気治療器係止磁石（４）の磁力と磁気治療器の磁石（１a）の磁力とを利用して磁気治療器（１c）を係止する。その後患者は、どちらか一方の手の親指を図１中の指掛け材（１９）に掛け、他の４本の指はハンドル（１５）を軽く握り、例えば図４のような無理のない体勢で、コリや痛みのある患部を、突起部（３）を皮膚に押し当てながら探す。このとき突起部（３）は、図３中の引っ張りバネ（６）の伸縮によって、可動部本体（２）ごと、常に内部ケースに開けた横長穴（９）に沿って伸縮移動する為、患者は突起部（３）を必要以上に強く押し当てることなく、患部の痛みの強さに応じた、より柔軟で優しい患部位置の検索・特定作業が可能となる。
【００１４】
患部位置の特定後は、ハンドル（１５）を握ることにより、図２中の紐材（１３）がハンドル（１５）側に引き寄せられ、結果、内部ケースに開けた横長穴（９）に挿通した芯材（５）を備えた可動部本体（２）は、内部ケースに開けた横長穴（９）に沿って移動し、図７aの状態から、図７bの状態になる。
【００１５】
図７bの状態になると、今まで患者の皮膚に当接していた突起部（３）の先端が皮膚を離れ、紐材（１３）は、紐支点材a（１０）を支点として可動部本体（２）を図７bの状態から図７cの状態に回転させる。機能部（２０）を、図１中に示すＢ方向から見たとき、図７bの状態のときは図５のようになり、図７cの状態のときには図６のようになる。回転前の突起部（３）の位置と、回転後の磁気治療器（１c）の位置はこれらの図に現すように、同じ位置となる。
【００１６】
図７cの状態から、ハンドル（１５）を握っていた手を緩めると、図７dの状態に  なり、磁気治療器（１c）が、患者の皮膚表面及び、中空アーム先端前面の想定ライン
（２２）を超えることにより、磁気治療器（１c）が弾力性を有する皮膚に当接し、磁気治療器の粘着部（１b）によって磁気治療器（１c）が患部に貼着される。さらに貼着後は、図７d中の突起部（３）を、指先で反時計回りに回転することで、容易に図７aの状態に戻すことができる。
【図面の簡単な説明】
【００１７】
【図１】本発明の実施形態を示す磁気治療器貼着用補助具の、外観側面図
【図２】本発明の実施形態を示す磁気治療器貼着用補助具の、断面図
【図３】本発明の実施形態を示す磁気治療器貼着用補助具の、機能部の分解斜視図
【図４】本発明の実施形態を示す磁気治療器貼着用補助具の、使用例姿図
【図５】本発明の実施形態を示す磁気治療器貼着用補助具を図１中におけるＢ方向              から見た、可動部回転前見付図
【図６】本発明の実施形態を示す磁気治療器貼着用補助具を図１中におけるＢ方向              から見た、可動部回転後見付図
【図７ａ】本発明の実施形態を示す磁気治療器貼着用補助具使用中における、               患部検索時の機能部詳細図
【図７ｂ】本発明の実施形態を示す磁気治療器貼着用補助具使用中における、               突起部が皮膚から離れる直前の機能部詳細図
【図７ｃ】本発明の実施形態を示す磁気治療器貼着用補助具使用中における、               突起部が皮膚から離れて可動部が回転した後の機能部詳細図
【図７ｄ】本発明の実施形態を示す磁気治療器貼着用補助具使用中における、               磁気治療器が貼着されるときの機能部詳細図
【符号の説明】
【００１８】
１a．磁気治療器の磁石
１b．磁気治療器の粘着面
１c．磁気治療器
２．可動部本体
３．突起部
４．磁気治療器係止磁石
５．芯材
６．引っ張りバネ
７．引っ掛け部材
８a．内部ケース
８b．内部ケースの先端前面
９．内部ケースに開けた横長穴
１０．紐支点材a
１１a．可動部係止磁石Ａ
１１b．可動部係止磁石Ｂ
１２．紐受材
１３．紐材
１４a．中空アーム
１４b．中空アームの先端前面
１５．ハンドル
１６．ハンドル支点
１７．ハンドルバネ
１８．紐支点材b
１９．指掛け材
２０．機能部
２１．ハンドル部
２２．患者の皮膚表面及び、中空アーム先端前面の想定ライン
【図１】
2009207826.tif 000003
【図２】
2009207826.tif 000004
【図３】
2009207826.tif 000005
【図４】
2009207826.tif 000006
【図５】
2009207826.tif 000007
【図６】
2009207826.tif 000008
【図７ａ】
2009207826.tif 000009
【図７ｂ】
2009207826.tif 000010
【図７ｃ】
2009207826.tif 000011
【図７ｄ】
2009207826.tif 000012